(57)【要約】【課題】  キーボード装置内に侵入した水分を効率的に排出することができるキーボード装置を提供する。【解決手段】  キーボード装置１０はその上面側に複数の吸入口１１ａ乃至１１ｆが設けられ、下面側には複数の水分排出口１２ａ乃至１２ｆが設けられている。そしてキーボード装置１０のキートップ付近から水分が侵入した場合には、排出口１２から水分が排出されると同時に、吸入口１１から空気が流入するため効率的に水分を排出できるものである。    【選択図】  図４
2008158760.tif 000002
【特許請求の範囲】
【請求項１】
キーボード装置本体と、この本体内に配置されている複数のキートップと、各キートップを支持するキートップ支持部と、キートップ支持部の下面に配置されたゴムラバーシートと、キートップの押下動作を検出する電極シートとを有するキーボード装置であって、前記キーボード装置本体の下面部に排出口を配置し、前記キーボード装置本体の上面部に吸入口を配置したことを特徴とするキーボード装置。
【請求項２】
前記排出口及び吸入口が複数個設けられていることを特徴とする請求項１記載のキーボード装置。
【請求項３】
前記ゴムラバーシートの周囲に壁部を設けたことを特徴とする請求項２記載のキーボード装置。
【発明の詳細な説明】
【技術分野】
【０００１】
本発明は、キーボード装置に関し、特にキーボード装置の水濡れ時の電気的破壊を防止する構造に関するものである。
【背景技術】
【０００２】
パーソナルコンピュータの入力装置としてキーボード装置が用いられておりユーザが押下することにより文字入力やコマンド入力を行っている。このキーボード装置はユーザの不注意によりしばしば水濡れによる電気的破壊が発生する。たとえばキーボード装置の周囲に置いてあった水コップなどを倒してしまい、キーボード内部に水分を侵入させてしまうことによりキートップ下の電極をショートさせてしまうことがある。そこで従来よりキーボード装置の水濡れ防止のために様々な対策が講じられてきた。たとえばキーボード下面に水分の排出口を設け、キーボードに侵入した水分を排出するものである。
【特許文献１】特開２００３−２７２４６９号公報（第１図）
【発明の開示】
【発明が解決しようとする課題】
【０００３】
しかし、従来のキーボードはキーボード下面から内部に侵入した水分を排出するだけの穴を配置したのみであり、排出口自体が水分により塞がった場合、効率的に水分を排出することができない場合がある。また単純に排出口だけを配置しているので、電極間に水分が侵入する可能性もある。
【０００４】
そこで本発明は、キーボード装置内に侵入した水分を効率的に排出することができるキーボード装置を提供することを目的とするものである。  
【課題を解決するための手段】
【０００５】
本発明は上述したような課題を解決するため、キーボード装置本体と、この本体内に配置されている複数のキートップと、各キートップを支持するキートップ支持部と、キートップ支持部の下面に配置されたゴムラバーシートと、キートップの押下動作を検出する電極シートとを有するキーボード装置であって、前記キーボード装置本体の下面部に排出口を配置し、前記キーボード装置本体の上面部に吸入口を配置したものである。
【０００６】
また本発明は、前記排出口及び吸入口が複数個設けられているものである。また本発明は前記ゴムラバーシートの周囲に壁部を設けたものである。
【発明の効果】
【０００７】
キーボード装置の配置する空気の吸入口を水分の排出口と離れた位置にすることにより、効率的に水分を排出することができる。
【発明を実施するための最良の形態】
【０００８】
以下に本発明の一実施形態について図面を用いて説明する。
【０００９】
図１は本発明の一実施形態に示すキーボード装置、特にメンブレンタイプのキーボードの簡易的な構造図である。
【００１０】
図１に示すキートップ１はキーボード装置に多数配置された各キーの上面フレームでユーザが直接押下する部分でありキートップ支持部２に支持されている。キートップ支持部２は、キートップ１自身の押下／上下動作をガイドする構造を有している。キーボード支持部２の下面にはゴムラバーシート３が配置されており、このゴムラバーシート３のキートップ１に対応する位置には、突起が設けられておりこの突起部分の弾力性により常にキートップ１が押し開けられている状態となり、ユーザにより押下された時だけキートップが下がるようになっている。つまりこの突起構造により、操作者により、キートップを押した際に一定の加重を感じる様になり、離した際にはキートップを元の位置に戻そうとするバネとなっているものである。
【００１１】
電極パターンシート４は上下の２枚構成となっており、キートップ下部の各々に電極が配置されている。またこの電極パターンシート４はユーザがキートップを押下することによりこの電極が接触し、キーボードが押されたこととなる。本実施形態においては、この電極に水分などが入り込みにくいようにする構造が本発明の実施形態としており追って説明していく。なお電極が接触する状況は、キートップ２が操作者により押されて、ゴムラバーシート３が潰れて電極が接触するものである。また、図示していないが電極パターンシート４には各電極からのパターンが配しており、このパターンが最終的にキーボード内部のコントローラＩＣに接続され、外部ケーブルを経由して、パーソナルコンピュータに接続される。
【００１２】
セパレータシート５は、キートップ１が押されていない状態に時に電極パターンシート４の電極自身が接触しないよう間隔を保つための物であり、電極の部分のみに穴が開いている構造である。下面フレーム６はキーボード装置の最下面に位置した金属フレームであり、ネジ止め等により、パーソナルコンピュータ本体に固定される。
【００１３】
次に図２、図３を用いて本実施形態のキーボード装置の基本構造を説明する。 図２は、キーボード全体の外観上面から、図３は横面からを示した物である。
【００１４】
図２に示すようにキーボード装置１０はその上面側に複数の吸入口１１ａ乃至１１ｆが設けられ、下面側には複数の水分排出口１２ａ乃至１２ｆが設けられている。そしてキーボード装置１０のキートップ付近から水分が侵入した場合には、排出口１２から水分が排出されると同時に、吸入口１１から空気が流入するため効率的に水分を排出できるものである。
【００１５】
通常キーボードは、図３に示すように、吸入口１１側が、排出口１２側よりも高さが高い構造となっているため、侵入した水分は低い方、すなわち排出口１２の法へ流れていく。
【００１６】
次に図４は、図１で説明したキーボードの各構成要素の中で、キートップ１、上面フレーム２を外した状態を示しており、ゴムラバーシート３が露出された状況を示している。図４に示すように本実施形態のキーボード装置１０は、ゴムラバーシート３の四隅に壁部７ａ乃至７ｄが設けられている。、これは内部に進入した水分を電極部分に進入させない構造となっており、空気の吸入穴、水分の排出穴部分で壁が取り除かれている構造となっている。図示されていないがゴムラバーシート３は、電極パターンシート４とセパレータシート５より、やや、大きめに成形されることにより、更に水分を電極部分に対して進入を防止する構造となっている。
【００１７】
以上説明したとおり、本実施形態によれぱキーボード装置において、水分の排出穴と離れた場所に空気の吸入口が配置されているので、内部に侵入した水分を効率よく排出することが可能となる。またキーボードのバネ構造を形成しているゴムラバーシートの四隅に壁部を設け、キーボード内部の侵入した水分ほをその下部に配置している電極部分に侵入しずらい構造とすることができるものである。
【図面の簡単な説明】
【００１８】
【図１】本発明の一実施形態におけるキーボード装置の構造を示す図である。
【図２】同実施形態のキーボード装置に配置された吸入口、排出口の位置を説明するための図である。
【図３】同実施形態のキーボード装置の水分の排出形態を説明するための図である。
【図４】同実施形態のキーボード装置の内部構造を示す図である。
【符号の説明】
【００１９】
１０…キーボード装置、１１ａ乃至１１ｆ…吸入口、１２ａ乃至１２ｆ…排出口。
【図１】
2008158760.tif 000003
【図２】
2008158760.tif 000004
【図３】
2008158760.tif 000005
【図４】
2008158760.tif 000006